(57)【要約】【課題】照明によって、多様な表現を伴った画像等を回転輪に表示させることができる観覧車を提供する。【解決手段】本発明の観覧車は、回転輪１が、前後方向に離間した一対の同心円フレーム１２と、各同心円フレーム１２に設けられ径方向に放射状に伸びる複数の直線状フレーム１４と、一対の同心円フレーム１２同士を連結する複数の連結フレーム１７とを備える。この観覧車は、複数の第一ＬＥＤ発光器５と、複数の第二ＬＥＤ発光器６とを備える。第一ＬＥＤ発光器５は、外側方に向かって発光するように本体フレーム１１に取り付けられる。第二ＬＥＤ発光器６は、軸部１８に向かって発光するように連結フレーム１７に取り付けられる。そして、観覧車は、第一ＬＥＤ発光器５と第二ＬＥＤ発光器６とを制御する制御装置８をさらに備える。【選択図】図１
2016043071.tif 000002
【特許請求の範囲】
【請求項１】
外周部にキャビンが設けられた回転輪が軸部を介して支持体に支持された観覧車であって、
前記回転輪は、
前後方向に離間した一対の本体フレームと、
前記一対の本体フレームを外周部で連結する複数の連結フレームと
を備え、
当該観覧車は、
外側方に向かって発光するように前記本体フレームに取り付けられた複数の第一ＬＥＤ発光器と、
前記軸部に向かって発光するように前記連結フレームに取り付けられた複数の第二ＬＥＤ発光器と、
前記第一ＬＥＤ発光器と前記第二ＬＥＤ発光器とを制御する制御装置と
を備えている
ことを特徴とする観覧車。
【請求項２】
前記制御装置は、前記第一ＬＥＤ発光器と前記第二ＬＥＤ発光器とを連動して制御するものである
ことを特徴とする請求項１記載の観覧車。
【請求項３】
前記第二ＬＥＤ発光器は、赤色発光体と緑色発光体と青色発光体とを備えており、
前記制御装置は、前記赤色発光体と前記緑色発光体と前記青色発光体とを個別に制御することで、前記第二ＬＥＤ発光器ごとに光の色を制御する
ことを特徴とする請求項１または請求項２に記載の観覧車。
【発明の詳細な説明】
【技術分野】
【０００１】
本発明は、観覧車に関する。
【背景技術】
【０００２】
特許文献１には、従来の観覧車が開示されている。この特許文献１記載の観覧車は、外周に多数のゴンドラを有する回転輪を備えている。回転輪には、正面側または背面側に向かって発光する多数のＬＥＤ素子が設けられている。
【０００３】
この従来の観覧車は、ＬＥＤ素子の調光を制御する制御手段を備えている。制御手段は、各ＬＥＤ素子の色彩を変化させたり、点灯・消灯させたりすることで、観覧車の回転輪に静止画像または動画像を表示させる。
【先行技術文献】
【特許文献】
【０００４】
【特許文献１】特許第５０３７７１６号公報
【発明の概要】
【発明が解決しようとする課題】
【０００５】
ところで、この従来の観覧車は、回転輪の正面又は背面に設けられた多数のＬＥＤ素子の色彩の変化または点灯・消灯によって画像を表示するものに過ぎない。このため、この観覧車では、単に画像を表示させるだけの演出しかできず、表現に多様性を持たせることはできなかった。
【０００６】
本発明は、上記事情に鑑みてなされたものであり、その目的とするところは、照明によって、多様な表現を伴った画像等を回転輪に表示させることができる観覧車を提供することにある。
【課題を解決するための手段】
【０００７】
本発明の観覧車は、外周部にキャビンが設けられた回転輪が軸部を介して支持体に支持された観覧車であって、前記回転輪は、前後方向に離間した一対の本体フレームと、前記一対の本体フレームを外周部で連結する複数の連結フレームとを備え、当該観覧車は、外側方に向かって発光するように前記本体フレームに取り付けられた複数の第一ＬＥＤ発光器と、前記軸部に向かって発光するように前記連結フレームに取り付けられた複数の第二ＬＥＤ発光器と、前記第一ＬＥＤ発光器と前記第二ＬＥＤ発光器とを制御する制御装置とを備えていることを特徴とする。
【発明の効果】
【０００８】
本発明の観覧車によれば、第一ＬＥＤ発光器による光源を直接見せる表現と、第二ＬＥＤ発光器による間接的に反射光を見せる表現とによって、多様性を持たせた表示を行うことができる。
【図面の簡単な説明】
【０００９】
【図１】本実施形態の観覧車の正面図である。
【図２】本実施形態の観覧車の側面図である。
【図３】図１中のＡ部分の拡大図である。
【図４】図４Ａは図２中のＢ部分の拡大図である。図４Ｂは図４Ａの第二ＬＥＤ発光器の正面図である。
【図５】本実施形態の観覧車のブロック図である。
【図６】本実施形態の観覧車の発光状態を示す正面図である。
【図７】図７Ａ〜図７Ｆは、本実施形態の観覧車の照明の発光状態の移り変わりの一例を示す正面図である。
【発明を実施するための形態】
【００１０】
以下、本発明の実施形態について説明する。
【００１１】
本実施形態の観覧車は、図１に示すように、地面に固定された支持体３と、この支持体３に支持された回転輪１と、回転輪１の外周部に設けられたキャビン２とを備えている。なお、以下においては、回転輪１の軸部１８に沿った方向を前後方向として定義する。
【００１２】
回転輪１は、支持体３によって回転自在に支持されたものであり、外周部に設けられたキャビン２を回転方向に沿って移動させる。回転輪１は、中央に軸部１８を有しており、この軸部１８を介して支持体３に回転自在に支持される。支持体３には駆動装置（図示せず）が設けられており、回転輪１はこの駆動装置によって軸部１８を中心に回転駆動するように構成されている。この回転輪１は、図２に示すように、前後一対の本体フレーム１１と、本体フレーム１１同士を連結する複数の連結フレーム１７と、回転中心となる軸部１８とを備えている。
【００１３】
一対の本体フレーム１１は、前後方向に離間して設けられている。各本体フレーム１１は、回転輪１の前後方向の一方の側面を構成する。各本体フレーム１１は、互いに同じ構造をしており、前後方向にみて重なるように配置される。
【００１４】
本体フレーム１１の形状は、例えば、正面視円形状，多角形状，星形などが挙げられ、特に限定されない。なお、本実施形態の本体フレーム１１は、正面視円形状をしている。この本体フレーム１１は、図１に示すように、同心円フレーム１２と、複数の直線状フレーム１４とを備えている。
【００１５】
同心円フレーム１２は、正面視円形状をしたフレームであり、例えば鉄製である。同心円フレーム１２は、同心円状に設けられた複数の円環枠１３を有している。
【００１６】
各直線状フレーム１４は、回転輪１の径方向に直線状に延びている。これにより、複数の直線状フレーム１４は、全体として放射状に形成される。直線状フレーム１４は例えば鉄製である。直線状フレーム１４は、複数の円環枠１３に跨るようにして配置される。直線状フレーム１４としては、回転輪１の軸部１８から径方向の端部にまで延びる主フレーム１５と、回転輪１の径方向の途中から端部にまで延びる副フレーム１６とがある。
【００１７】
このような本体フレーム１１は、例えば、一対の主フレーム１５と、円環枠１３の周方向の一部とで扇形状の枠を形成し、この扇形状の枠を周方向に順次連結することで構成される。従って、円環枠１３は、全体として環状であればよく、部分的には直線状であってもよい。
【００１８】
連結フレーム１７は、図２に示すように、一対の本体フレーム１１を外周部で連結する。連結フレーム１７は、前後方向に直線状に延びている。連結フレーム１７は、各直線状フレーム１４に対応する箇所に設けられており、正面視においては、図１に示すように、キャビン２よりも径方向の内側に配置される。これによって、キャビン２が回転輪１の上端に位置しても、連結フレーム１７に干渉しないように構成されている。
【００１９】
なお、ここでいう「外周部」とは、本体フレーム１１の径方向の外側の先端から中心に向かう一定の広がりを持った領域をいう。従って、回転輪１の外周部とは、回転輪１の外縁だけをいうのではなく、外縁よりも中央側に位置する箇所をも含み、例えば、本実施形態のように外縁から半径の１／９程度、中央側に位置する箇所も外周部とみなす。
【００２０】
軸部１８は、本体フレーム１１の中央に固定されており、図２に示すように、一対の本体フレーム１１間に架け渡されている。軸部１８は、前後方向に水平状に延びている。軸部１８は、回転輪１の回転中心となる。軸部１８は、支持体３によって回転自在に支持される。
【００２１】
このような構成の回転輪１には、図１に示すように、複数のキャビン２が設けられている。キャビン２は、搭乗者を載せる部分であり、いわゆるゴンドラである。キャビン２の内部には座席（図示せず）が設けられている。キャビン２は、回転輪１の周方向の全長に亙って一定の間隔をおいて多数設けられている。具体的に、キャビン２は、直線状フレーム１４の先端に回転自在に吊り下げられている。
【００２２】
支持体３は、地面に立ち上げられて固定されている。支持体３は、回転輪１を軸支する。支持体３は、図２に示すように、前後方向に離れた一対の脚部３１によって構成されている。各脚部３１は、複数の鉄骨体によって構成されている。
【００２３】
図１に示すように、支持体３には乗降場４が設けられている。乗降場４は、キャビン２に人を乗降させるために設けられている。乗降場４は、支持体３に架設された横架材３２上に設けられている。
【００２４】
なお、支持体３は、鉄骨体によって構成されたものに限らず、ビルや建物などの建造物によって構成されてもよい。
【００２５】
この観覧車は、複数の第一ＬＥＤ発光器５と、複数の第二ＬＥＤ発光器６と（図２）、これらを制御する制御装置８とを備えている。観覧車は、これらＬＥＤ発光器５，６の発光を制御することで、観覧車の本体フレーム１１に動画や画像を表示させたり、鮮やかなイルミネーション照明を行ったりすることができる。
【００２６】
図３には図１のＡ部分の拡大図を示す。第一ＬＥＤ発光器５は、図３に示すように、第一発光装置５０と、固定具５４とを備えている。
【００２７】
第一発光装置５０は、棒状に形成された発光器である。第一発光装置５０は、赤色発光体５１と、緑色発光体５２と、青色発光体５３とを備える、いわゆるフルカラーＬＥＤ発光器である。第一発光装置５０は、回転輪１の径方向に一定の長さを有するよう形成されている。
【００２８】
第一発光装置５０は、本体フレーム１１の直線状フレーム１４に固定具５４を介して取り付けられている。第一発光装置５０は、一対の本体フレーム１１にそれぞれ取り付けられている。固定具５４は、例えばＵボルトによって構成される。
【００２９】
複数の第一ＬＥＤ発光器５は、図１に示すように、主フレーム１５に対して、長さ方向の全長に亘る領域に、直線上に多数並べて配置されている。また、複数の第一ＬＥＤ発光器５は、副フレーム１６に対して、径方向外側の端部にのみ（本実施形態では４つ）設けられている。また、第一ＬＥＤ発光器５は、対向する本体フレーム１１とは反対側に向かって発光するように、本体フレーム１１に取り付けられている。これによって、第一ＬＥＤ発光器５は、地上側に対して直接的に照明するいわゆる直接照明をすることができる。
【００３０】
第二ＬＥＤ発光器６は、図２に示すように、各連結フレーム１７に取り付けられている。第二ＬＥＤ発光器６は、回転輪１の軸部１８に向かって発光するように固定されている。これによって、第二ＬＥＤ発光器６は、軸部１８・直線状フレーム１４・同心円フレーム１２を照明しその反射光を利用して照明する、いわゆる間接照明をすることができる。この第二ＬＥＤ発光器６による間接照明によって、観覧車全体を照らし出すことができる。
【００３１】
図４には図２のＢ部分の拡大図を示す。第二ＬＥＤ発光器６は、図４Ａ，４Ｂに示すように、固定具６６と、作業台６５と、第二発光装置６１とを備えている。図４Ｂに示すように、作業台６５は、矩形状のエキスバンドメタルによって構成されており、作業時の足場となる。作業台６５は、長手方向が連結フレーム１７の長手方向と平行になるよう配置される。第二発光装置６１は、複数設けられており（本実施形態では６つ）、作業台６５の幅方向の両側に設けられている。各第二発光装置６１は、赤色発光体６２と、緑色発光体６３と、青色発光体６４とを備える、いわゆるフルカラーＬＥＤ発光器である。固定具６６は、例えばＵボルトによって構成されている。
【００３２】
作業台６５は、固定具６６を介して、連結フレーム１７に固定されている。これによって、第二ＬＥＤ発光器６は、軸部１８に向かって発光するように連結フレーム１７に固定されている。
【００３３】
制御装置８は、第一ＬＥＤ発光器５と第二ＬＥＤ発光器６とに電気的に接続され、第一ＬＥＤ発光器５と第二ＬＥＤ発光器６とを制御する。具体的に、制御装置８は、第一ＬＥＤ発光器５による直接照明と、第二ＬＥＤ発光器６による間接照明とを、１つの制御プログラムで制御する（つまり、第一ＬＥＤ発光器５と第二ＬＥＤ発光器６とを連動して制御する）。このため、本実施形態の観覧車によれば、回転輪１に多様な表現を伴った画像や動画を表示させることができる。
【００３４】
この制御装置８は、例えば、乗降場４に設けられた管理棟４１に収容配置される。
【００３５】
回転輪１には、回転検出器７が設けられている。回転検出器７は、回転輪１の基準位置に対する回転角度を検出するためのものである。回転検出器７は、例えば、軸部１８に設けられており、軸部１８の回転角度を検出する。この回転検出器７によって検出された回転角度情報は、図５に示すように制御装置８に出力される。
【００３６】
制御装置８は、コンテンツ入力部８１と、変換制御部８２と、第一制御部８３と、第二制御部８４とを備えている。
【００３７】
コンテンツ入力部８１は、回転輪１の本体フレーム１１に表示したい画像（文字を含む）や動画（以下、画像と動画をまとめて画像等という），あるいはイルミネーション照明等のコンテンツを入力するための部分である。コンテンツ入力部８１に入力されたデータは、変換制御部８２に出力される。
【００３８】
変換制御部８２は、コンテンツ入力部８１からデータが入力されると、そのコンテンツに対応する照明を回転輪１に表示できるように、各第一ＬＥＤ発光器５のＯＮ／ＯＦＦとその光の色を決定し、且つ、第二ＬＥＤ発光器６のＯＮ／ＯＦＦとその光の色を決定する。このとき、回転検出器７から入力される回転角度情報に基づいて、各第一ＬＥＤ発光器５の位置を把握する。そして、変換制御部８２は、ＯＮ／ＯＦＦ情報および色彩情報と、各第一ＬＥＤ発光器５とを関連付け、また、ＯＮ／ＯＦＦ情報および色彩情報と、各第二ＬＥＤ発光器６とを関連付ける。
【００３９】
その後、変換制御部８２は、第一ＬＥＤ発光器５に関する情報を第一制御部８３に出力し、第二ＬＥＤ発光器６に関する情報を第二制御部８４に出力する。
【００４０】
第一制御部８３は、第一ＬＥＤ発光器５を制御する。第一制御部８３は、変換制御部８２から入力された情報に基づいて、赤色発光体５１・緑色発光体５２・青色発光体５３を個別に制御する。これによって、第一ＬＥＤ発光器５ごとに光の色を制御する。また、第一制御部８３は、変換制御部８２から入力された情報に基づいて、各第一ＬＥＤ発光器５のＯＮ／ＯＦＦ制御を行う。
【００４１】
第二制御部８４は、第二ＬＥＤ発光器６を制御する。第二制御部８４は、変換制御部８２から入力された情報に基づいて、赤色発光体６２・緑色発光体６３・青色発光体６４を個別に制御する。これによって、第二ＬＥＤ発光器６ごとに光の色を制御する。また、第二制御部８４は、変換制御部８２から入力された情報に基づいて、各第二ＬＥＤ発光器６のＯＮ／ＯＦＦ制御を行う。
【００４２】
図６に示すように、第二ＬＥＤ発光器６を発光させながら、第一ＬＥＤ発光器５を発光させると、ぼんやりと光る間接照明を背景にして、放射状の直接照明が光ることになり、立体感等の多様な表現を伴ったイルミネーション照明を現出させることができる。
【００４３】
しかも、第一ＬＥＤ発光器５と第二ＬＥＤ発光器６とは、制御装置８によって連動して制御されるため、例えば、図７Ａ〜図７Ｆに示すように、両者を組みあわせた画像を回転輪１に描くことができる。図中、太線は発光器のＯＮ状態を示し、細線はＯＦＦ状態を示す。
【００４４】
図７Ａ〜図７Ｆは、打ち上げ花火の動画を表示する例である。図７Ａ〜図７Ｅは、第一ＬＥＤ発光器５のＯＮ／ＯＦＦを切り替えて動画を表現し、特に、図７Ｃ〜７Ｅでは色彩を変化させて打ち上げ花火が順に変化してゆく様子を表現する。そして、図７Ｆでは、第二ＬＥＤ発光器６をＯＮして、ぼんやりとした間接照明を行い、打ち上げ花火の一連の様子を再現することができる。
【００４５】
このように、第一ＬＥＤ発光器５と第二ＬＥＤ発光器６とを連動して制御することで、従来にはない多様な表現を伴った画像等を回転輪１に表示させることができる。
【００４６】
以上、説明したように、本実施形態の観覧車は、外周部にキャビン２が設けられた回転輪１が軸部１８を介して支持体３に支持された観覧車である。回転輪１は、前後方向に離間した一対の本体フレーム１１と、前記一対の本体フレーム１１を外周部で連結する複数の連結フレーム１７とを備える。観覧車は、複数の第一ＬＥＤ発光器５と、複数の第二ＬＥＤ発光器６と、第一ＬＥＤ発光器５と前記第二ＬＥＤ発光器６とを制御する制御装置８とを備える。第一ＬＥＤ発光器５は、外側方（前後方向のうち対向する本体フレーム１１とは反対側）に向かって発光するように本体フレーム１１に取り付けられる。第二ＬＥＤ発光器６は、軸部１８に向かって発光するように連結フレーム１７に取り付けられる。
【００４７】
このため、本実施形態の観覧車によれば、本体フレーム１１に取り付けられた第一ＬＥＤ発光器５による直接照明と、連結フレーム１７に取り付けられた第二ＬＥＤ発光器６による間接照明とを組み合わせて、多様な表現（例えば立体感）を伴った画像等やイルミネーション照明などを回転輪１に表示させることができる。
【００４８】
また、本実施形態の制御装置８は、第一ＬＥＤ発光器５と第二ＬＥＤ発光器６とを連動して制御する。
【００４９】
このため、本実施形態の観覧車によれば、第一ＬＥＤ発光器５による照明と、第二ＬＥＤ発光器６による照明とを用いて、イルミネーションの演出を行うことができる。
【００５０】
また、本実施形態の第二ＬＥＤ発光器６は、赤色発光体６２と緑色発光体６３と青色発光体６４とを備えている。制御装置８は、前記赤色発光体６２と緑色発光体６３と青色発光体６４とを個別に制御することで、第二ＬＥＤ発光器６ごとに光の色を制御する。
【００５１】
このため、本実施形態の観覧車によれば、第二ＬＥＤ発光器６による間接照明の色の表現を多様にすることができ、従来にないイルミネーション照明を実現できる。特に、多彩な色で浮かび上がる観覧車に対し、第一ＬＥＤ発光器５の直接照明を発光させることで、幻想的な演出を行うことも可能である。
【００５２】
しかも、各第二ＬＥＤ発光器６から異なる色が発光されている場合には、第二ＬＥＤ発光器６から発せられる光が集まる軸部１８近傍では各色が集合して混合するため、白色に近い色になる。このため、回転輪１の周方向に色を変化させることができるだけでなく、径方向においても色を変化させることができ、イルミネーションの表現を一層多様にすることができる。
【符号の説明】
【００５３】
１      回転輪
１１    本体フレーム
１２    同心円フレーム
１３    円環枠
１４    直線状フレーム
１５    主フレーム
１６    副フレーム
１７    連結フレーム
１８    軸部
２      キャビン
３      支持体
３１    脚部
３２    横架材
４      乗降場
４１    管理棟
５      第一ＬＥＤ発光器
５０    第一発光装置
５１    赤色発光体
５２    緑色発光体
５３    青色発光体
５４    固定具
６      第二ＬＥＤ発光器
６１    第二発光装置
６２    赤色発光体
６３    緑色発光体
６４    青色発光体
６５    作業台
６６    固定具
７      回転検出器
８      制御装置
８１    コンテンツ入力部
８２    変換制御部
８３    第一制御部
８４    第二制御部
【図１】
2016043071.tif 000003
【図２】
2016043071.tif 000004
【図３】
2016043071.tif 000005
【図４】
2016043071.tif 000006
【図５】
2016043071.tif 000007
【図６】
2016043071.tif 000008
【図７】
2016043071.tif 000009